(57)【特許請求の範囲】
【請求項１】
ホウ素濃度制御による液体核廃棄物のリサイクル方法であって、
前記廃棄物はナトリウム塩およびカリウム塩を含み、
硝酸カルシウムをホウ酸塩溶液に導入することによってホウ酸カルシウムを沈殿させ、沈殿物を母液から分離する第１ステップと、
ホウ酸、水酸化ナトリウムおよび水酸化カリウム溶液を取得する第２ステップと、
陽イオン交換膜および陰イオン交換膜を備えた電気透析装置を用いて電気透析する第３ステップと、を含み、
前記第１ステップにおいては、初期のホウ酸塩溶液は、ナトリウム塩およびカリウム塩として、ナトリウムおよびカリウムの硝化塩および硫化塩を含み、
硝酸カルシウムを初期のホウ酸塩溶液に導入することによって、ホウ酸カルシウムおよび硫酸カルシウムの共沈殿物を得、
前記第２ステップにおいては、ホウ酸カルシウムと硫酸カルシウムの共沈殿物を硝酸溶液で処理して、ホウ酸カルシウム溶液から硫酸カルシウムの沈殿物を分離した後、ホウ酸カルシウム溶液を硝酸で処理して、ホウ酸の沈殿物と硝酸カルシウム溶液を形成し、ホウ酸沈殿物を分離して、乾燥させることによって、ホウ酸を取得し、
前記第３ステップにおいては、直接、母液から電気透析によって硝酸、水酸化ナトリウムおよび水酸化カリウムの溶液を取得する
ことを特徴とするホウ素濃度制御による液体核廃棄物のリサイクル方法。
【請求項２】
ｐＨ９．３からｐＨ１１．０までの範囲内で、硝酸カルシウムをホウ酸溶液に導入する
ことを特徴とする請求項１に記載のホウ素濃度制御による液体核廃棄物のリサイクル方法。
【請求項３】
ｐＨ５からｐＨ７までの範囲内になるまで、ホウ酸と硫酸カルシウムの共沈殿物を硝酸溶液で処理する
ことを特徴とする請求項１に記載のホウ素濃度制御による液体核廃棄物のリサイクル方法。
【請求項４】
ｐＨ１からｐＨ３までの範囲内になるまで、１０℃から２０℃までの範囲内の温度で、ホウ酸カルシウム溶液を硝酸で処理する
ことを特徴とする請求項１に記載のホウ素濃度制御による液体核廃棄物のリサイクル方法。
【請求項５】
ホウ酸沈殿物を分離した後に、硝酸カルシウム溶液を初期の硝酸溶液に添加する
ことを特徴とする請求項１に記載のホウ素濃度制御による液体核廃棄物のリサイクル方法。
【請求項６】
三室方式の電気透析装置を用いて、当該電気透析装置の中間室における母液の体積ＶMPと、アノード室における陰極液の体積Ｖaと、カソード室における陽極液の体積Ｖkと、の比が
ＶMP：Ｖa  ＝  １：０．５−１．０
かつ
ＶMP：Ｖk  ＝  １：０．５−１．０
の範囲内になっており、
アノード室においては硝酸溶液を取得し、カソード室においては水酸化ナトリウムおよび水酸化カリウム溶液を取得する
ことを特徴とする請求項１に記載のホウ素濃度制御による液体核廃棄物のリサイクル方法。
【請求項７】
前記電気透析は、電流強度が１Ａから３Ａまでの範囲内で、かつ電圧が４Ｖから１０Ｖまでの範囲内で、行われる
ことを特徴とする請求項１または６に記載のホウ素濃度制御による液体核廃棄物のリサイクル方法。
【請求項８】
３０ｇ／Ｌから３５ｇ／Ｌまでの範囲内でホウ酸を含有し、ｐＨ２からｐＨ３までの範囲内の硝酸溶液を用いて、前記ホウ酸沈殿物を洗浄する
ことを特徴とする請求項１に記載のホウ素濃度制御による液体核廃棄物のリサイクル方法。
【請求項９】
６０℃以下の温度で、前記ホウ酸沈殿物を乾燥させる
ことを特徴とする請求項１に記載のホウ素濃度制御による液体核廃棄物のリサイクル方法。
【発明の詳細な説明】
【技術分野】
【０００１】
本発明は、WWER(Water-Water Energetic Reactor)を含む、原子力発電所の運用によって発生する核廃棄物であって、核燃料サイクルにおいて再利用されるべきホウ酸、硝酸およびアルカリ金属化合物の抽出に用いられる複雑液体ホウ素を含有する核廃棄物の統合リサイクルに関する。
【背景技術】
【０００２】
原子力発電所（NPP: Nuclear Power Plant）で発生するあらゆる液体核廃棄物のうち、蒸発器の汚泥は最もリサイクルが難しい。この種の廃棄物には、さまざまな排水によってもたらされる汚染除去剤とともに、ナトリウムやカリウムの硝酸塩の高濃度排液や、遷移金属塩の形態の装置の腐食生成物がある。汚染除去後、排液は蒸発によって融合物に転換された後、貯蔵される。この種の廃棄物を１００％リサイクルすることはできない。
【０００３】
液体核廃棄物をリサイクルするためのホウ素濃度制御法に関しては先行技術文献情報がある（特許文献１を参照）。この方法では、廃棄物を蒸発させて、得られたホウ素含有濃縮物を結晶化し、この濃縮物を母液から分離して溶解し、得られた溶液を限外ろ過した後、ホウ酸換算で８０ｇ／Ｌから２５０ｇ／Ｌまで蒸発させ、この酸を結晶化させる。ホウ酸の収率は８４％未満であり、不純物量は１０−２重量％から１０−３重量％である。
【０００４】
この方法の主な欠点は、蒸発操作を行うためのエネルギー消費が高いこと、ホウ酸が十分抽出できないこと、および得られた溶液を更に生成しなければならないこと、である。また、この方法では、ホウ素を再生することにしか使用できないので、大量の廃棄物をリサイクルできずに廃棄しなければならなくなる。
【０００５】
また、核廃棄物をリサイクルするためのホウ素濃度制御方法の従来技術として、他の方法に関する先行技術文献情報もある（特許文献２を参照）。この方法は、硝酸ナトリウムおよび硝酸カリウムを含有する液体廃棄物に適用され、まず、ホウ酸を含有しない酸廃棄物（ｐＨ＜５．５）と、ホウ酸塩を含有しないアルカリ廃棄物（ｐＨ＞５．５）を分離回収し、次に、濃縮混合し、ｐＨ８．０からｐＨ１０．１でホウ酸ナトリウムを結晶化し、これを母液から分離し、この溶液をカルシウムおよびマグネシウム、好ましくは硝酸カルシウムおよび塩化マグネシウムを用いて処理し、得られたカルシウム又はマグネシウムのホウ酸塩沈殿物を分離する。そして、ナトリウムホウ酸塩の沈殿物を濃度が２０ｇ／Ｌから２５ｇ／Ｌになるまで溶解し、イオン交換膜を用いた電気透析装置で電気透析にかけて、最終的にホウ酸塩溶液（０．１ｇ／Ｌから６０ｇ／Ｌ）と水酸化ナトリウム溶液（ＮａＯＨが１５０ｇ／Ｌ以下）を得る。電気透析のパラメーターは、電流強度が０．２Ａから４５Ａ、電圧が５Ｖから５５Ｖの範囲内である。
【先行技術文献】
【特許文献】
【０００６】
【特許文献１】ロシア連邦特許第２０１２０７６号、ＩＰＣ５ Ｇ２１Ｆ ９/０８、１９９４
【特許文献２】米国特許第７３２３６１３号、ＩＰＣ Ｇ２１Ｆ ９/０６、９/２０、Ｇ２１Ｃ １/００、Ｂ０１Ｄ ６１/４２（２００６．０１）、２００８
【発明の概要】
【発明が解決しようとする課題】
【０００７】
しかしながら、上記の従来方法は、次のような欠点を有している。すなわち、ホウ酸および水酸化ナトリウムしか再生することができない一方、塩類を豊富に含んだ母液（ホウ酸塩は含まれていない）はリサイクルされないため、大量の廃棄物がリサイクルできず貯蔵される。また、この従来方法には別の欠点もある。すなわち、得られたホウ酸塩溶液は売り物にならないし、水酸化ナトリウム溶液は濃度が低すぎて、再利用が難しい。エネルギー消費量が大きいのもこの従来方法の欠点である。その原因は、電気透析にかけるホウ酸ナトリウム溶液はナトリウムの含有量が少なく、電気抵抗が大きいために、電気透析に要する電流強度が高く、電圧が高くなることにある。
【０００８】
本発明は、幅広いリサイクル製品を有する塩類、特に、市場価値の高いホウ酸、硝酸の濃縮塩類、核燃料サイクルにおいて再利用することができる水酸化ナトリウムおよび水酸化カリウムを豊富に含有する複雑液体核廃棄物のリサイクルを達成することにある。
【課題を解決するための手段】
【０００９】
技術上の成果は、ナトリウム塩およびカリウム塩を含有する液体核廃棄物のホウ素濃度制御方法によって達成され、当該ホウ素濃度制御方法においては、ホウ酸塩溶液に硝酸カルシウムを加えた後、ホウ酸ナトリウムを沈殿させ、母液からホウ酸ナトリウムを分離する。更に、陽イオン交換膜並びに陰イオン交換膜を有する電気透析装置を用いて電気透析にかけた後、ホウ酸、水酸化ナトリウムおよび水酸化カリウム溶液を生成する。本発明によれば、初期のホウ酸塩溶液は、ナトリウム塩およびカリウム塩に代えて、硝酸ナトリウム、硝酸カリウム、硫酸ナトリウムおよび硫酸カリウムを含有しており、初期のホウ酸塩溶液に硝酸カルシウムを加えると、ホウ酸カルシウムおよび硫酸カルシウムが共沈殿する。ホウ酸カルシウムと硫酸カルシウムを硫酸溶液で処理することによってホウ酸塩溶液を製造し、更にホウ酸カルシウム溶液から沈殿した硫酸カルシウムを分離する。その後、ホウ酸カルシウム溶液を硝酸で処理して、ホウ酸を沈殿させ、硝酸カルシウム溶液を生成する。沈殿したホウ酸は分離し、乾燥させる。母液は、電気透析にかけて、硝酸溶液、水酸化ナトリウムおよび水酸化カリウムを生成する。
【００１０】
また、技術上の成果は、硝酸カルシウムをｐＨ９．３からｐＨ１１．０までの範囲内のホウ酸塩溶液に加えることによって達成される。
【００１１】
また、技術上の成果は、共沈殿したホウ酸カルシウムと硫酸カルシウムをｐＨ５からｐＨ７までの範囲内になるまで硝酸溶液で処理することによって達成される。
【００１２】
また、技術上の成果は、ホウ酸カルシウム溶液を１０℃から２０℃までの範囲内の温度下でｐＨ１からｐＨ３までの範囲内になるまで硝酸で処理することによって達成される。
【００１３】
また、技術上の成果は、沈殿物を分離した後、初期のホウ酸塩溶液に硝酸カルシウム溶液を加えることによって達成される。
【００１４】
技術上の成果は、中間室における母液の容積比ＶMP、アノード室における陽極液の容積比Ｖa、およびカソード室における陰極液の容積比Ｖkが予め設定されている三室方式の電気透析装置を用いて（VMP:Va=1:0.5-1.0およびVMP:Vk=1:0.4-0.6）、母液の電気透析を行い、アノード室においては硝酸溶液が製造され、カソード室においては水酸化カリウム溶液と水酸化カリウム溶液が製造されることによって達成される。
【００１５】
また、技術上の成果は、電気透析のパラメーターとして、電流強度を１Ａから３Ａまでの範囲内とし、電圧を４Ｖから１０Ｖまでの範囲内とすることによって、達成される。
【００１６】
また、技術的な成果は、ホウ酸を３０ｇ／Ｌから３５ｇ／Ｌまでの範囲内で含有し、ｐＨ２からｐＨ３までの範囲内の硝酸溶液で、ホウ酸沈殿物を洗浄することによって達成される。
【００１７】
また、技術的な成果は、ホウ酸沈殿物を６０℃以下の温度で乾燥させることによって達成される。
【発明の効果】
【００１８】
期待される技術上の成果は、エネルギー消費の抑制し、埋め立てたり、貯蔵したりしなければならない危険な廃棄物の量を低減することである。
【００１９】
法的な保護の範囲を定義し、上記の技術的な成果を達成するために十分な本発明の本質的な特徴は、以下の機能を有し、その達成には以下のように関連している。
【００２０】
初期のホウ酸塩溶液は硝酸カルシウム、硝酸ナトリウム、硫酸カルシウムおよび硫酸ナトリウムを含有しているので、難溶性の生成物（例えば、建設産業で使用することができる石膏）の形態の硫酸イオンを初期の溶液から除去すれば、電気透析した硝酸およびアルカリ性溶液は再利用に適している。
【００２１】
初期のホウ酸塩溶液に硝酸カルシウムを加えると、ホウ酸カルシウムと硫酸カルシウムとの共沈殿が形成されるので、溶液から適切なホウ素化合物を確実に抽出することができ、かつ電気透析を行う前に溶液から硫酸イオンを除去することができる。
【００２２】
ホウ酸カルシウムと硫酸カルシウムとの共沈殿を硝酸溶液で処理してから、ホウ酸カルシウムを溶液へ移し、ホウ酸カルシウム溶液から硫酸カルシウム沈殿物を抽出すれば、ホウ素化合物中の不純物を適切に除去し、最終生成物におけるホウ素の歩留まりを確実に高くすることができる。
【００２３】
ホウ酸カルシウム溶液を硝酸で処理すると、ホウ酸沈殿物が得られ、このホウ酸沈殿物は硝酸カルシウム溶液から容易に分離することができる。
【００２４】
洗浄したホウ酸沈殿物を乾燥させることにより、最終生成物中のホウ酸の質量含有量を増加させることができる。
【００２５】
ホウ酸カルシウムおよび硫酸カルシウムの共沈殿物を分離して得られた母液は低い電流強度および電圧で電気透析することができ、原子力発電所の核燃料サイクルで再利用するのに適した高濃度の硝酸溶液および水酸化ナトリウムおよび水酸化カリウム溶液の形態で有用成分を抽出することができる。
【００２６】
上記特徴の組み合わせは、原子力発電所の核サイクルにおける再利用に適している商業的なホウ酸および硝酸および水酸化ナトリウムおよび水酸化カリウムの濃縮溶液を含むより広い範囲の製品を得る技術であり、また、エネルギー消費を低減し、有害廃棄物の貯蔵および廃棄の回数を減らす技術であるということができる本発明の技術的成果を達成するために必要かつ十分である。
【００２７】
本発明の特定の実施形態では、以下の動作およびモードパラメータが好ましい。
【００２８】
ｐＨ９．３からｐＨ１１．０までの範囲内のホウ酸塩溶液へ硝酸カルシウムを導入すれば、当該溶液からホウ素化合物の最も完全な抽出を保証することができ、電気透析に先立って硫酸イオンを溶液から除去することができる。ｐＨ９．３未満またはｐＨ１１．０超で硝酸カルシウムを導入すると、ホウ酸カルシウムが部分的にしか溶解しないので、ホウ素化合物の抽出量および共沈殿物が低減する。
【００２９】
ホウ酸カルシウムと硫酸カルシウムとの共沈殿物は、ｐＨ５からｐＨ７までの範囲内になるまで、硝酸溶液で処理するのが望ましい。このｐＨ範囲内では、ホウ酸化合物の溶解度が最も高くなるからである。ｐＨ５未満のホウ酸塩溶液は、難溶性のホウ酸が形成されるため、ホウ素の収率もまた低下する。このため、高濃度のホウ素含有溶液を得ることができなくなる。ホウ酸塩溶液がｐＨ７を超えると、難溶性のホウ酸ナトリウムが形成されるので、共沈殿物を分離することができなくなる。
【００３０】
ホウ酸カルシウム溶液はｐＨ１からｐＨ３までの範囲内になるまで硝酸溶液で処理するのが好ましい。ｐＨ１未満のホウ酸カルシウム溶液を硝酸で処理すると、ホウ酸沈殿を抽出するための硝酸の消費量が多くなり過ぎる。ｐＨ３を超えると、固相中のホウ酸の収率が低下する。
【００３１】
ホウ酸カルシウム溶液を硝酸で１０℃から２０℃まで温度範囲内で処理すると、最適な条件下で溶液からのホウ酸を沈殿させることができる。温度が２０℃を超えると、ホウ酸の溶解度が高くなり、ホウ素の収率は低下する。１０℃未満の温度で処理すると、溶液の冷却を必要とし、ホウ素の実収率は有意に増加しない。
【００３２】
ホウ酸沈殿物を分離した後で、初期のホウ酸塩溶液に硝酸カルシウム溶液を加えると、廃棄物の量を低減し、薬剤をより効果的に使用することができる。
【００３３】
三室方式の電気透析装置の中間室の母液、カソード室の陽極液、およびアノード室の陰極液を下記の体積比で母液を電気透析すると、硝酸溶液、水酸化ナトリウム溶液および水酸化カリウム溶液といった産生物の濃度を制御することができる。本発明の体積比（母液VMPの体積に対する陰極液の体積Vaの比がVMP:Va=1:0.5-1.0、陽極液の体積Vkの比がVMP:Vk=1:0.4-0.6）を採用しなければ、再利用に必要な濃度範囲（300g/L-600g/L）内の硝酸溶液およびアルカリ性溶液を得ることができない。
【００３４】
１Ａから３Ａまでの範囲内の電流強度で、かつ４Ｖから１０Ｖまでの範囲内の電圧で電気透析を実施すれば、エネルギー消費を低減しながら、かつ約５０％から７０％までの範囲内の電流効率で、食塩水から９９％以上のイオンを抽出することが保証される。１Ａ未満の電流強度で、かつ４Ｖ未満の電圧で電気透析を行うと、処理時間が不当に増加し、生産性が低下する。また、電流強度が３Ａを超え、かつ電圧が１０Ｖを超えると、電流効率が低下し、エネルギー消費が増加する。
【００３５】
ホウ酸含有量が３０ｇ／Ｌから３５ｇ／Ｌまでの範囲内で、ｐＨ２からｐＨ３までの範囲内の硝酸溶液でホウ酸沈殿物を洗浄すると、不純物を除去して、十分な純度の最終生成物、すなわちホウ酸（H3BO3）を生産することができる。ホウ酸は、プロセスパラメーターが当該範囲内であるときに溶解度が最も低くなる。洗浄に用いる硝酸溶液中のホウ酸量は、硝酸溶液に対して所定のｐＨ範囲内で安定した値を保証する。ホウ酸量が３０ｇ／Ｌ未満の硝酸溶液を用いれば、洗浄した沈殿物を部分的に溶解させる。また、ホウ酸量が３０ｇ／Ｌ以上の硝酸溶液では、洗浄液は析出、沈殿する。
【００３６】
洗浄したホウ酸沈殿物を６０℃以下の温度で乾燥させることにより、最終生成物中のホウ酸の質量含有量を９９．９重量％以上にすることができる。６０℃を超える温度では、ホウ酸が深い脱水によって酸化物に転化するおそれがある。温度範囲の下限は、乾燥プロセス時間に応じて決定され、作業雰囲気の希薄化に依存し得る。
【００３７】
上述した本発明に特有の特徴によれば、原子力発電所のプロセスサイクルにおける再利用に適したより広い範囲の製品を得る観点から最適なモードで本方法を実施することができ、また、エネルギー消費と貯蔵および廃棄される有害廃棄物量とを低減することができる。
【発明を実施するための形態】
【００３８】
提案された方法の本質は、以下の例により説明することができる。
＜実施例１＞
初期のホウ酸塩溶液は、１，０００ｍＬあたり以下を含む：
１０４ ｇ／Ｌ   Ｎａ+
５０．８ ｇ／Ｌ Ｋ+
２６３ ｇ／Ｌ   ＮＯ3-
２４ ｇ／Ｌ           ＳＯ42-
５．３ ｇ／Ｌ   Ｃｌ-
４２ ｇ／Ｌ           Ｈ3ＢＯ3
また、ホウ酸塩溶液のｐＨは８．７である。初期溶液のｐＨは、８．５モル／Ｌの水酸化ナトリウムＮａＯＨ溶液を６９ｍＬ加えることによって、ｐＨ１１まで上昇される。その後、ホウ酸塩溶液に５．５モル／Ｌの硝酸カルシウムＣａ（ＮＯ3）2溶液を１４９ｍＬ追加する。その結果、ホウ酸カルシウムと硫酸カルシウムとの共沈殿物が生成される。生成した共沈殿物をろ過により溶液から分離した後、１，１６８ｍＬの母液を電気透析し、共沈殿したホウ酸カルシウムと硫酸カルシウムを用いてホウ酸を精製する。
【００３９】
共沈殿したホウ酸カルシウムと硫酸カルシウムは、硝酸（濃度12.2モル/Lで48.4mL）と水１２０ｍＬを含む溶液を用いてｐＨ５になるまで処理された後、ホウ酸カルシウムを溶液に変換し、無水塩量に換算して、母液の全塩量の６．９５％に当たる３４ｇの硫酸カルシウム沈殿物を分離する。その後、ホウ酸ナトリウム溶液を、温度２０℃でｐＨ１になるまで硝酸溶液（濃度12.2モル/Lで48.4mL）で処理する。生成したホウ酸共沈殿物を硝酸カルシウム溶液から分離してから、濃度３５ｇ／Ｌのホウ酸を含むｐＨ２の硝酸溶液で洗浄し、温度５５℃で乾燥させる。この結果、３２．４ｇのホウ酸が精製される。ホウ酸沈殿物を分離した後、初期のホウ酸塩溶液に硝酸カルシウム溶液を加える。
【００４０】
母液の電気透析は、陽イオン交換膜および陰イオン交換膜を備えた三室方式の電気透析装置で実施される。
【００４１】
１，１６８ｍＬの母液を電気透析にかける。溶液は下記を含む：
３１９ ｇ／Ｌ   ＮＯ3-
０．８ ｇ／Ｌ   ＳＯ42-
４．６ ｇ／Ｌ   Ｃｌ-
１０２ ｇ／Ｌ   Ｎａ+
４４ ｇ／Ｌ           Ｋ+
４．８ ｇ／Ｌ   Ｈ3ＢＯ3
また、電流強度は２Ａで電圧は６Ｖであり、体積比は、
ＶMP：Ｖa＝１：０．５
ＶMP：Ｖk＝１：０．５
である。これによって、陰極室には５８４ｍＬの硝酸溶液が生成され、この陰極溶液は以下を含む：
６４８．３ ｇ／Ｌ     ＨＮＯ3
１．６３ ｇ／Ｌ Ｈ2ＳＯ4
９．５ ｇ／Ｌ   ＨＣｌ
また、陽極室には５８４ｍＬの水酸化ナトリウムと水酸化カリウムの溶液があり、この陽極液は以下を含む：
３５４．８ ｇ／Ｌ     ＮａＯＨ
１８１．４ ｇ／Ｌ     ＫＯＨ
また、中間室には１，１６８ｍＬの脱灰母液があり、この溶液は１．６ｇ／ＬのイオンＮＯ3-、ＳＯ42-、Ｃｌ-、Ｎａ+およびＫ+を含むとともに、ホウ酸Ｈ3ＢＯ3を４．８ｇ／Ｌ含んでいる。母液からのイオン抽出は９９．５％である。電気透析による生成物の電流効率６０％である。
＜実施例２＞
初期のホウ酸塩溶液は、１，０００ｍＬあたり以下を含む：
１１１．３ ｇ／Ｌ     Ｎａ+
３１．５ ｇ／Ｌ Ｋ+
２４４ ｇ／Ｌ   ＮＯ3-
３５ ｇ／Ｌ           ＳＯ42-
１０．２ ｇ／Ｌ Ｃｌ-
３４．６ ｇ／Ｌ Ｈ3ＢＯ3
また、溶液のｐＨは８．５である。初期溶液のｐＨは、８．５モル／Ｌの水酸化ナトリウムＮａＯＨ溶液を５４ｍＬ加えることによって、ｐＨ９．３まで上昇される。その後、ホウ酸塩溶液に５．５モル／Ｌの硝酸カルシウムＣａ（ＮＯ3）2溶液を１３２ｍＬ追加する。その結果、ホウ酸カルシウムと硫酸カルシウムとの共沈殿物が生成される。生成した共沈殿物をろ過により溶液から分離した後、１，１５０ｍＬの母液を電気透析し、共沈殿したホウ酸カルシウムと硫酸カルシウムを用いてホウ酸を精製する。
【００４２】
共沈殿したホウ酸カルシウムと硫酸カルシウムは、硝酸（濃度12.2モル/Lで41mL）と水１５０ｍＬを含む溶液を用いてｐＨ７になるまで処理された後、ホウ酸カルシウムを溶液に変換し、無水塩量に換算して、母液の全塩量の１０．８％に当たる５０．３ｇの硫酸カルシウムを分離する。その後、ホウ酸ナトリウム溶液を、温度１０℃でｐＨ３になるまで硝酸溶液（濃度12.2モル/Lで41mL）で処理する。生成したホウ酸共沈殿物を硝酸カルシウム溶液から分離してから、濃度３０ｇ／Ｌのホウ酸を含むｐＨ３の硝酸溶液で洗浄し、温度６０℃で乾燥させる。この結果、２７．５ｇのホウ酸が精製される。ホウ酸沈殿物を分離した後、初期のホウ酸塩溶液に硝酸カルシウム溶液を加える。
【００４３】
母液の電気透析は、陽イオン交換膜および陰イオン交換膜を備えた三室方式の電気透析装置で実施される。
【００４４】
１，１５０ｍＬの母液を電気透析にかける。溶液は下記を含む：
２９１．４ ｇ／Ｌ     ＮＯ3-
１．２ ｇ／Ｌ   ＳＯ42-
８．９ ｇ／Ｌ   Ｃｌ-
１０６．７ ｇ／Ｌ     Ｎａ+
２７．４ ｇ／Ｌ Ｋ+
３．１ ｇ／Ｌ   Ｈ3ＢＯ3
また、電流強度は２Ａで電圧は６．２Ｖであり、体積比は、
ＶMP：Ｖa＝１：０．５
ＶMP：Ｖk＝１：０．４
である。これによって、陰極室には５７５ｍＬの硝酸溶液が生成され、この陰極溶液は以下を含む：
５９２．２ ｇ／Ｌ     ＨＮＯ3
２．４５ ｇ／Ｌ Ｈ2ＳＯ4
１８．３ ｇ／Ｌ ＨＣｌ
また、陽極室には４６０ｍＬの水酸化ナトリウムと水酸化カリウムの溶液があり、この陽極液は以下を含む：
４６３．９ ｇ／Ｌ     ＮａＯＨ
５６．２ ｇ／Ｌ ＫＯＨ
また、中間室には１，１５０ｍＬの脱灰母液があり、この溶液は１．１７ｇ／ＬのイオンＮＯ3-、ＳＯ42-、Ｃｌ-、Ｎａ+およびＫ+を含むとともに、ホウ酸Ｈ3ＢＯ3を３．１ｇ／Ｌ含んでいる。母液からのイオン抽出は９９．６％である。電気透析による生成物の電流効率６０％である。
＜実施例３＞
初期のホウ酸塩溶液は、１，０００ｍＬあたり以下を含む：
１０１．９ ｇ／Ｌ     Ｎａ+
１９ ｇ／Ｌ           Ｋ+
１４１．１ ｇ／Ｌ     ＮＯ3-
４．８ ｇ／Ｌ   ＳＯ42-
１５．１ ｇ／Ｌ Ｃｌ-
８０．３ ｇ／Ｌ Ｈ3ＢＯ3
また、溶液のｐＨは８．２である。初期溶液のｐＨは、８．５モル／Ｌの水酸化ナトリウムＮａＯＨ溶液を８２ｍＬ加えることによって、ｐＨ１０．１まで上昇される。その後、ホウ酸塩溶液に５．５モル／Ｌの硝酸カルシウムＣａ（ＮＯ3）2溶液を２３６ｍＬ追加する。その結果、ホウ酸カルシウムと硫酸カルシウムとの共沈殿物が生成される。生成した共沈殿物をろ過により溶液から分離した後、１，２５０ｍＬの母液を電気透析し、共沈殿したホウ酸カルシウムと硫酸カルシウムを用いてホウ酸を精製する。
【００４５】
共沈殿したホウ酸カルシウムと硫酸カルシウムは、硝酸（濃度12.2モル/Lで103mL）と水２００ｍＬを含む溶液を用いてｐＨ６．６になるまで処理された後、ホウ酸カルシウムを溶液に変換し、無水塩量に換算して、母液の全塩量の１．９％に当たる６．８ｇの硫酸カルシウム沈殿物を分離する。その後、ホウ酸ナトリウム溶液を、温度１８℃でｐＨ２になるまで硝酸溶液（濃度12.2モル/Lで103mL）で処理する。生成したホウ酸共沈殿物を硝酸カルシウム溶液から分離してから、濃度３３ｇ／Ｌのホウ酸を含むｐＨ２の硝酸溶液で洗浄し、温度４０℃で乾燥させる。この結果、６９．３ｇのホウ酸が精製される。ホウ酸沈殿物を分離した後、初期のホウ酸塩溶液に硝酸カルシウム溶液を加える。
【００４６】
母液の電気透析は、陽イオン交換膜および陰イオン交換膜を備えた三室方式の電気透析装置で実施される。
【００４７】
１，２５０ｍＬの母液を電気透析にかける。溶液は下記を含む：
２４１．８ ｇ／Ｌ     ＮＯ3-
１．４ ｇ／Ｌ   ＳＯ42-
１２．１ ｇ／Ｌ Ｃｌ-
９４．３ ｇ／Ｌ Ｎａ+
１５．２ ｇ／Ｌ Ｋ+
１．９ ｇ／Ｌ   Ｈ3ＢＯ3
また、電流強度は１Ａで電圧は４Ｖであり、体積比は、
ＶMP：Ｖa＝１：０．６
ＶMP：Ｖk＝１：０．６
である。これによって、陰極室には７５０ｍＬの硝酸溶液が生成され、この陰極溶液は以下を含む：
４０９．５ ｇ／Ｌ     ＨＮＯ3
２．３８ ｇ／Ｌ Ｈ2ＳＯ4
２７．７ ｇ／Ｌ ＨＣｌ
また、陽極室には７５０ｍＬの水酸化ナトリウムと水酸化カリウムの溶液があり、この陽極液は以下を含む：
２７３．３ ｇ／Ｌ     ＮａＯＨ
３６．４ ｇ／Ｌ ＫＯＨ
また、中間室には１，２５０ｍＬの脱灰母液があり、この溶液は２．４２ｇ／ＬのイオンＮＯ3-、ＳＯ42-、Ｃｌ-、Ｎａ+およびＫ+を含むとともに、ホウ酸Ｈ3ＢＯ3を１．９ｇ／Ｌ含んでいる。母液からのイオン抽出は９９％である。電気透析による生成物の電流効率７０％である。
＜実施例４＞
初期のホウ酸塩溶液は、１，０００ｍＬあたり以下を含む：
１５５．８ ｇ／Ｌ     Ｎａ+
１１．２ ｇ／Ｌ Ｋ+
２２７ ｇ／Ｌ   ＮＯ3-
６ ｇ／Ｌ       ＳＯ42-
３．８ ｇ／Ｌ   Ｃｌ-
１８ ｇ／Ｌ           Ｈ3ＢＯ3
また、溶液のｐＨは１２である。初期溶液のｐＨは、４モル／Ｌの硝酸ＨＮＯ3溶液を１３０ｍＬ加えることによって、ｐＨ１０．６まで上昇される。その後、ホウ酸塩溶液に５．５モル／Ｌの硝酸カルシウムＣａ（ＮＯ3）2溶液を６２ｍＬ追加する。その結果、ホウ酸カルシウムと硫酸カルシウムとの共沈殿物が生成される。生成した共沈殿物をろ過により溶液から分離した後、１，１９０ｍＬの母液を電気透析し、共沈殿したホウ酸カルシウムと硫酸カルシウムを用いてホウ酸を精製する。
【００４８】
共沈殿したホウ酸カルシウムと硫酸カルシウムは、硝酸（濃度12.2モル/Lで23mL）と水１５０ｍＬを含む溶液を用いてｐＨ６．２になるまで処理された後、ホウ酸カルシウムを溶液に変換し、無水塩量に換算して、母液の全塩量の２％に当たる８．５ｇの硫酸カルシウム沈殿物を分離する。その後、ホウ酸ナトリウム溶液を、温度１６℃でｐＨ２．３になるまで硝酸溶液（濃度12.2モル/Lで23mL）で処理する。生成したホウ酸共沈殿物を硝酸カルシウム溶液から分離してから、濃度３３ｇ／Ｌのホウ酸を含むｐＨ２の硝酸溶液で洗浄し、温度５７℃で乾燥させる。この結果、１５．６ｇのホウ酸が精製される。ホウ酸沈殿物を分離した後、初期のホウ酸塩溶液に硝酸カルシウム溶液を加える。
【００４９】
母液の電気透析は、陽イオン交換膜および陰イオン交換膜を備えた三室方式の電気透析装置で実施される。
【００５０】
１，１９０ｍＬの母液を電気透析にかける。溶液は下記を含む：
３４６ ｇ／Ｌ   ＮＯ3-
０．８ ｇ／Ｌ   ＳＯ42-
３．２ ｇ／Ｌ   Ｃｌ-
１３０．９ ｇ／Ｌ     Ｎａ+
９．４４ ｇ／Ｌ Ｋ+
０．６ ｇ／Ｌ   Ｈ3ＢＯ3
また、電流強度は３Ａで電圧は１０Ｖであり、体積比は、
ＶMP：Ｖa＝１：１
ＶMP：Ｖk＝１：０．５
である。これによって、陰極室には１，１９０ｍＬの硝酸溶液が生成され、この陰極溶液は以下を含む：
３５２ ｇ／Ｌ   ＨＮＯ3
０．８１ ｇ／Ｌ Ｈ2ＳＯ4
３．３ ｇ／Ｌ   ＨＣｌ
また、陽極室には５９５ｍＬの水酸化ナトリウムと水酸化カリウムの溶液があり、この陽極液は以下を含む：
４５５．３ ｇ／Ｌ     ＮａＯＨ
２７．０ ｇ／Ｌ ＫＯＨ
また、中間室には１，１９０ｍＬの脱灰母液があり、この溶液は１．０４ｇ／ＬのイオンＮＯ3-、ＳＯ42-、Ｃｌ-、Ｎａ+およびＫ+を含むとともに、ホウ酸Ｈ3ＢＯ3を０．６ｇ／Ｌ含んでいる。母液からのイオン抽出は９９．７％である。電気透析による生成物の電流効率５０％である。
＜実施例５＞
初期のホウ酸塩溶液は、１，０００ｍＬあたり以下を含む：
８９．２ ｇ／Ｌ Ｎａ+
２２．４ ｇ／Ｌ Ｋ+
１３２．７ ｇ／Ｌ     ＮＯ3-
１７．３ ｇ／Ｌ ＳＯ42-
１１．７ ｇ／Ｌ Ｃｌ-
３７ ｇ／Ｌ           Ｈ3ＢＯ3
また、溶液のｐＨは１０．７である。その後、ホウ酸塩溶液に４モル／Ｌの硝酸カルシウムＣａ（ＮＯ3）2溶液を３３６ｍＬ追加する。その結果、ホウ酸カルシウムと硫酸カルシウムとの共沈殿物が生成される。生成した共沈殿物をろ過により溶液から分離した後、１，２２０ｍＬの母液を電気透析し、共沈殿したホウ酸カルシウムと硫酸カルシウムを用いてホウ酸を精製する。
【００５１】
共沈殿したホウ酸カルシウムと硫酸カルシウムは、硝酸（濃度12.2モル/Lで53mL）と水１５０ｍＬを含む溶液を用いてｐＨ６になるまで処理された後、ホウ酸カルシウムを溶液に変換し、無水塩量に換算して、母液の全塩量の７．９％に当たる２４．５ｇの硫酸カルシウム沈殿物を分離する。その後、ホウ酸ナトリウム溶液を、温度２０℃でｐＨ２になるまで硝酸溶液（濃度12.2モル/Lで53mL）で処理する。生成したホウ酸共沈殿物を硝酸カルシウム溶液から分離してから、濃度３５ｇ／Ｌのホウ酸を含むｐＨ２の硝酸溶液で洗浄し、温度６０℃で乾燥させる。この結果、３６．１ｇのホウ酸が精製される。ホウ酸沈殿物を分離した後、初期のホウ酸塩溶液に硝酸カルシウム溶液を加える。
【００５２】
母液の電気透析は、陽イオン交換膜および陰イオン交換膜を備えた三室方式の電気透析装置で実施される。
【００５３】
１，２２０ｍＬの母液を電気透析にかける。溶液は下記を含む：
１９８．４ ｇ／Ｌ     ＮＯ3-
０．９ ｇ／Ｌ   ＳＯ42-
９．６ ｇ／Ｌ   Ｃｌ-
７９．１ ｇ／Ｌ Ｎａ+
１８．４ ｇ／Ｌ Ｋ+
２．５ ｇ／Ｌ   Ｈ3ＢＯ3
また、電流強度は１Ａで電圧は５Ｖであり、体積比は、
ＶMP：Ｖa＝１：０．６
ＶMP：Ｖk＝１：０．５
である。これによって、陰極室には７３２ｍＬの硝酸溶液が生成され、この陰極溶液は以下を含む：
３３６ ｇ／Ｌ   ＨＮＯ3
１．５３ ｇ／Ｌ Ｈ2ＳＯ4
１６．４ ｇ／Ｌ ＨＣｌ
また、陽極室には６１０ｍＬの水酸化ナトリウムと水酸化カリウムの溶液があり、この陽極液は以下を含む：
２７５．１ ｇ／Ｌ     ＮａＯＨ
５３．１ ｇ／Ｌ ＫＯＨ
また、中間室には１，２２０ｍＬの脱灰母液があり、この溶液は１．９８ｇ／ＬのイオンＮＯ3-、ＳＯ42-、Ｃｌ-、Ｎａ+およびＫ+を含むとともに、ホウ酸Ｈ3ＢＯ3を２．５ｇ／Ｌ含んでいる。母液からのイオン抽出は９９％である。電気透析による生成物の電流効率７０％である。
【００５４】
以上の説明および実施例１−５から、本発明に係る液体核廃棄物のリサイクル方法によれば、従来技術と比較して、商業的なホウ酸を結晶の形態で生産するとともに、６４８．３ｇ／Ｌまでのホウ酸塩溶液、４６３．９ｇ／Ｌまでの水酸化ナトリウム溶液、１８１．４ｇ／Ｌまでの水酸化カリウム溶液といった原子力発電所におけるプロセスサイクルでの再利用、並びに一般的な工業的利用に適した高濃度溶液を生産することができる。また、低電流強度かつ低電圧で電気透析を行うのでエネルギー消費を抑制することができる。更に、母廃液のすべての成分がリサイクル工程に関与するので、埋め立てたり貯蔵したりすべき有害な廃棄物を低減することができる。これらの実施例には、主として既存の化学装置を使用することができる。
【産業上の利用可能性】
【００５５】
本発明に係るホウ素濃度制御による液体核廃棄物のリサイクル方法は、WWER(Water-Water Energetic Reactor)を含む、原子力発電所の運用によって発生する核廃棄物であって、核燃料サイクルにおいて再利用されるべきホウ酸、硝酸およびアルカリ金属化合物の抽出に用いられる複雑液体ホウ素を含有する核廃棄物の統合リサイクルを行うための方法として有用である。